【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
同一プリント基板上もしくは同一モジュール内もしくは同一パッケージ内もしくは同一筐体内、または、複数の筐体が連結もしくは接触されることにより一体的に使用される機器内における情報伝送方法であって、
第１カテゴリー情報を電磁波信号に変換する電磁波変換工程と、
前記電磁波変換工程にて変換された電磁波信号を無線にて送信する無線送信工程と、
前記第１カテゴリー情報の伝送レートの１／ｂ（ｂは有理数）の周期情報を含む第２カテゴリー情報を生成する第２カテゴリー情報生成工程と、
前記第２カテゴリー情報生成工程にて生成された第２カテゴリー情報を有線にて送信する有線送信工程と、
前記有線発信工程にて送信された第２カテゴリー情報を有線にて受信する有線受信工程と、
前記無線送信工程にて送信された電磁波信号を無線にて受信する無線受信工程と、
前記無線受信工程にて受信された電磁波信号を前記第１カテゴリー情報に復元する電磁波復元工程と、
前記第２カテゴリー情報生成部にて生成された第２カテゴリー情報に含まれる前記周期情報に基づいて前記電磁波変換工程を動作させる電磁波変換駆動工程と、
前記有線受信工程にて受信された第２カテゴリー情報に含まれる前記周期情報に基づいて前記電磁波復元工程を動作させる電磁波復元駆動工程とを有することを特徴とする情報伝送方法。
【請求項２】
同一プリント基板上もしくは同一モジュール内もしくは同一パッケージ内もしくは同一筐体内、または、複数の筐体が連結もしくは接触されることにより一体的に使用される機器内に、
第１カテゴリー情報を電磁波信号に変換する電磁波変換部と、
前記電磁波変換部にて変換された電磁波信号を無線にて送信する無線送信部と、
前記第１カテゴリー情報の伝送レートの１／ｂ（ｂは有理数）の周期情報を含む第２カテゴリー情報を生成する第２カテゴリー情報生成部と、
前記第２カテゴリー情報生成部にて生成された第２カテゴリー情報を有線にて送信する有線送信部と、
前記有線送信部にて送信された第２カテゴリー情報を有線にて受信する有線受信部と、
前記無線送信部にて送信された前記電磁波信号を無線にて受信する無線受信部と、
前記無線受信部にて受信された電磁波信号を前記第１カテゴリー情報に復元する電磁波復元部とを有し、
前記電磁波変換部は、前記第２カテゴリー情報生成部にて生成された第２カテゴリー情報に含まれる前記周期情報に基づいて駆動し、
前記電磁波復元部は、前記有線受信部にて受信された第２カテゴリー情報に含まれる前記周期情報に基づいて駆動することを特徴とする電子装置。
【請求項３】
同一プリント基板上もしくは同一モジュール内もしくは同一パッケージ内もしくは同一筐体内、または、複数の筐体が連結もしくは接触されることにより一体的に使用される機器内に、
第１カテゴリー情報を生成する第１カテゴリー情報生成部と、
暗号鍵を生成する暗号鍵生成部と、
前記暗号鍵生成部にて生成された暗号鍵と前記第１カテゴリー情報の伝送レートの１／ｂ（ｂは有理数）の周期情報とを含む第２カテゴリー情報を生成する第２カテゴリー情報生成部と、
前記第１カテゴリー情報生成部にて生成された第１カテゴリー情報を、前記暗号鍵生成部にて生成された暗号鍵にて暗号化する暗号部と、
前記暗号部にて暗号化された情報を電磁波信号に変換する電磁波変換部と、
前記電磁波変換部にて変換された電磁波信号を無線にて送信する無線送信部と、
前記第２カテゴリー情報生成部にて生成された第２カテゴリー情報を有線にて送信する有線送信部と、
前記有線送信部にて送信された第２カテゴリー情報を有線にて受信する有線受信部と、
前記無線送信部にて送信された電磁波信号を無線にて受信する無線受信部と、
前記無線受信部にて受信された電磁波信号を前記暗号部にて暗号化された情報に復元する電磁波復元部と、
前記電磁波復元部にて復元された情報を、前記有線受信部にて受信された第２カテゴリー情報に含まれる前記暗号鍵にて復号する復号部とを有し、
前記電磁波変換部は、前記第２カテゴリー情報生成部にて生成された前記第２カテゴリー情報に含まれる前記周期情報に基づいて駆動し、
前記電磁波復元部は、前記有線受信部にて受信された第２カテゴリー情報に含まれる前記周期情報に基づいて駆動することを特徴とする電子装置。
【請求項４】
同一プリント基板上もしくは同一モジュール内もしくは同一パッケージ内もしくは同一筐体内、または、複数の筐体が連結もしくは接触されることにより一体的に使用される機器内に、
第１カテゴリー情報を生成する第１カテゴリー情報生成部と、
乱数を生成する乱数生成部と、
前記乱数生成部にて生成された乱数と前記第１カテゴリー情報の伝送レートの１／ｂ（ｂは有理数）の周期情報とを含む第２カテゴリー情報を生成する第２カテゴリー情報生成部と、
前記第１カテゴリー情報生成部にて生成された第１カテゴリー情報を、前記乱数生成部にて生成された乱数にて暗号化する暗号部と、
前記暗号部にて暗号化された情報を電磁波信号に変換する電磁波変換部と、
前記電磁波変換部にて変換された電磁波信号を無線にて送信する無線送信部と、
前記第２カテゴリー情報生成部にて生成された第２カテゴリー情報を有線にて送信する有線送信部と、
前記有線送信部にて送信された第２カテゴリー情報を有線にて受信する有線受信部と、
前記無線送信部にて送信された電磁波信号を無線にて受信する無線受信部と、
前記無線受信部にて受信された電磁波信号を前記暗号部にて暗号化された情報に復元する電磁波復元部と、
前記電磁波復元部にて復元された情報を、前記有線受信部にて受信された第２カテゴリー情報に含まれる前記乱数にて復号する復号部とを有し、
前記電磁波変換部は、前記第２カテゴリー情報生成部にて生成された前記第２カテゴリー情報に含まれる前記周期情報に基づいて駆動し、
前記電磁波復元部は、前記有線受信部にて受信された第２カテゴリー情報に含まれる前記周期情報に基づいて駆動することを特徴とする電子装置。
【請求項５】
同一プリント基板上もしくは同一モジュール内もしくは同一パッケージ内もしくは同一筐体内、または、複数の筐体が連結もしくは接触されることにより一体的に使用される機器内に、
第１カテゴリー情報を生成する第１カテゴリー情報生成部と、
拡散符号を生成する拡散符号生成部と、
前記拡散符号生成部にて生成された拡散符号と前記第１カテゴリー情報の伝送レートの１／ｂ（ｂは有理数）の周期情報とを含む第２カテゴリー情報を生成する第２カテゴリー情報生成部と、
前記第１カテゴリー情報生成部にて生成された第１カテゴリー情報を、前記拡散符号生成部にて生成された拡散符号にて変調する変調部と、
前記変調部にて変調された情報を電磁波信号に変換する電磁波変換部と、
前記電磁波変換部にて変換された電磁波信号を無線にて送信する無線送信部と、
前記第２カテゴリー情報生成部にて生成された第２カテゴリー情報を有線にて送信する有線送信部と、
前記有線送信部にて送信された第２カテゴリー情報を有線にて受信する有線受信部と、
前記無線送信部にて送信された電磁波信号を無線にて受信する無線受信部と、
前記無線受信部にて受信された電磁波信号を前記変調部にて変調された情報に復元する電磁波復元部と、
前記電磁波復元部にて復元された情報を、前記有線受信部にて受信された第２カテゴリー情報に含まれる前記拡散符号にて逆拡散する復調部とを有し、
前記電磁波変換部は、前記第２カテゴリー情報生成部にて生成された前記第２カテゴリー情報に含まれる前記周期情報に基づいて駆動し、
前記電磁波復元部は、前記有線受信部にて受信された第２カテゴリー情報に含まれる前記周期情報に基づいて駆動することを特徴とする電子装置。
【請求項６】
前記有線送信部と前記有線受信部とは同一の電源より電源供給を受けるとともに、前記有線送信部および前記有線受信部は電源線に信号を重畳し通信することを特徴とする請求項２から５のいずれか１項に記載の電子装置。
【請求項７】
前記電磁波変換部と前記電磁波復元部は、同一の搬送波発振器が発生する搬送波で駆動されることを特徴とする請求項２から６のいずれか１項に記載の電子装置。
【請求項８】
前記電磁波変換部はスペクトル拡散変調を行い、前記電磁波復元部はスペクトル逆拡散を行い、前記電磁波変換部および前記電磁波復元部の符号同期情報は有線通信で伝送されることを特徴とする請求項２から７のいずれか１項に記載の電子装置。
【請求項９】
前記電磁波変換部はＵＷＢ信号への変調を行い、前記電磁波復元部はＵＷＢ信号からの復調を行い、前記電磁波変換部および前記電磁波復元部の復調同期情報は有線通信で伝送されることを特徴とする請求項２から７のいずれか１項に記載の電子装置。
【請求項１０】
基準信号を発生する制御部と、
前記基準信号に同期して前記第１カテゴリー情報を電磁波信号に変調する変調部と、
前記変調部にて変調された電磁波信号を送信する無線送信部と、
前記無線送信部にて送信された電磁波信号を受信する無線受信部と、
前記無線受信部にて受信された電磁波信号を前記第１カテゴリー情報に復調する復調部と、
第２カテゴリー情報を電源線に重畳し伝送する有線送信部と、
前記電源線に重畳された信号を分離する有線受信部とを有し、
前記第１カテゴリー情報および第２カテゴリー情報は前記無線送信部および有線送信部により一通信リンク内に送信され、
前記無線送信部と無線受信部は共通の前記電源線より電源が供給され、
前記第２カテゴリー情報は、前記第１カテゴリー情報の伝送レートの１／ｂ（ｂは有理数）の周期情報を有する前記基準信号を含み、
前記変調部と前記復調部は、前記周期情報に同期して動作することを特徴とする電子装置。
【請求項１１】
前記無線送信部は、
基準信号を発振する制御部と、
前記基準信号に同期して、前記第１カテゴリー情報を変調し電磁波信号に変換する変調部とを有し、
前記有線送信部および有線受信部にて送受信される第２カテゴリー情報は前記基準信号を含み、
前記無線受信部は、
前記有線受信部にて受信された前記基準信号に同期して、前記無線受信部にて受信された電磁波信号を前記第１カテゴリー情報に復調する復調部を有することを特徴とする請求項１０に記載の電子装置。
【請求項１２】
前記無線送信部は、
基準信号を発振する制御部と、
前記基準信号に同期して、第１カテゴリー情報を変調し電磁波信号に変換する変調部とを有し、
前記有線送信部および有線受信部にて送受信される第２カテゴリー情報は前記基準信号を含み、
前記無線受信部は、
前記有線受信部にて受信された前記基準信号に同期した制御信号を生成する制御信号生成部と、
前記制御信号生成部にて生成された制御信号に同期して、前記無線受信部にて受信された電磁波信号を前記第１カテゴリー情報に復調する復調部とを有することを特徴とする請求項１０に記載の電子装置。
【請求項１３】
前記無線送信部は、ＵＷＢ変調にて前記第１カテゴリー情報を変調し、前記第１カテゴリー情報を変復調するのに用いるパルス起動タイミング情報は前記第２カテゴリー情報として有線伝送される前記基準信号より生成し、
前記無線送信部にて送信される送信パケットは、前記第２カテゴリー情報として有線伝送される前記基準信号に同期が取られることを特徴とする請求項１０に記載の電子装置。
【請求項１４】
前記無線送信部は、スペクトル拡散変調により前記第１カテゴリー情報を変調し、前記無線受信部は、前記第１カテゴリー情報をスペクトル逆拡散して復調し、変復調の拡散コードの同期情報または搬送波情報を第２カテゴリー情報として有線伝送される基準信号より生成し符号同期を取ることを特徴とする請求項１０に記載の電子装置。
【請求項１５】
前記無線送信部は、ＵＷＢ変調により第１カテゴリー情報を変調し、復調のためのパルステンプレートの同期情報は前記第２カテゴリー情報として有線伝送される基準信号より生成し復調同期が取られることを特徴とする請求項１０に記載の電子装置。
【請求項１６】
前記第２カテゴリー情報は、前記第１カテゴリー情報の無線通信に関する同期情報または搬送波情報を含むことを特徴とする請求項２から１５のいずれか１項に記載の電子装置。
【請求項１７】
前記第２カテゴリー情報は、前記第１カテゴリー情報の受信状態を示す情報を含み、前記第１カテゴリー情報の受信側から送信側に伝送されることを特徴とする請求項２から１６のいずれか１項に記載の電子装置。
【請求項１８】
前記第１カテゴリー情報は、画像データ、テキストデータまたは音声データの少なくともいずれか１つを含むことを特徴とする請求項２から１７のいずれか１項に記載の電子装置。
【請求項１９】
前記第１カテゴリー情報を記憶する記憶部と、
前記第１カテゴリー情報を表示する表示体と、
前記表示体の駆動順序に合わせて前記記憶部から前記第１カテゴリー情報を読出し出力する表示制御部と、
前記表示制御部が読み出した前記第１カテゴリー情報に基づき前記表示体を駆動する表示体駆動部とを備えることを特徴とする請求項２から１８のいずれか１項に記載の電子装置。
【請求項２０】
撮像素子と、
前記撮像素子が撮影した画像信号を前記第１カテゴリー情報として読み出し出力する撮像制御手段とを備えることを特徴とする請求項２から１９のいずれか１項に記載の電子装置。
【請求項２１】
集積回路上の電子回路と集積回路外部とで伝送される情報を第１カテゴリー情報として無線伝送することを特徴とする請求項２から２０のいずれか１項に記載の電子装置。
【請求項２２】
表示部と、
スピーカ部と、
前記表示部に表示する画像データおよび前記スピーカ部を駆動する音響データを生成するデータソース部とを有し、
前記表示部またはスピーカ部には第１カテゴリー情報を受信する無線受信部と、第２カテゴリー情報を送受信する第１有線送受信部とを有し、前記データソース部は前記第１カテゴリー情報を送信する無線送信部と、前記第２カテゴリー情報を送受信する第２有線送受信部とを有し、
前記表示部またはスピーカ部とデータソース部の間で伝送される前記画像データおよび音響データを前記第１カテゴリー情報として無線伝送し、
前記第２カテゴリー情報は、前記第１カテゴリー情報の伝送レートの１／ｂ（ｂは有理数）の周期情報を含み、前記無線送信部および前記無線受信部は前記周期情報に同期して動作することを特徴とする電子装置。
【請求項２３】
暗号鍵を発生する鍵発生部と、
前記第１カテゴリー情報を前記暗号鍵にて暗号化する暗号部を含む前記無線送信部と、
受信信号を前記暗号鍵にて復号化する復号部を含む前記無線受信部とを有し、
前記暗号鍵は前記第２カテゴリー情報として前記第１および第２有線送受信部を介して配信されることを特徴とする請求項１９に記載の電子装置。
【請求項２４】
乱数を発生する乱数発生部と、
前記第１カテゴリー情報を前記乱数にて暗号化する暗号部を含む前記無線送信部と、
受信信号を前記乱数にて復号化する復号部を含む前期無線受信部とを有し、
前記乱数は前記第２カテゴリー情報として前記第１および第２有線送受信部を介して配信されることを特徴とする請求項２２に記載の電子装置。
【請求項２５】
拡散符号を発生する拡散符号発生部を有し、
前記無線送信部は、前記拡散符号発生部にて発生された符号によって前記画像データおよび前記音響データを符号多重化し前記第１カテゴリー情報として発信し、
前記無線送信部と前記無線受信部は、前記第２カテゴリー情報に同期して前記拡散符号にて変復調することを特徴とする請求項２２記載の電子装置。
【請求項２６】
前記第１または／および第２有線送受信部は電源線に前記第２カテゴリー情報を重畳して送信する重畳部を含みまた前記第１または／および第２有線送受信部は電源線から前記第２カテゴリー情報を分離する分離部を含むことを特徴とする請求項２２から２５のいずれか１項に記載の電子装置。
【請求項２７】
第１筐体部と、
第２筐体部と、
前記第１筐体部と前記第２筐体部との位置関係を変えられるように前記第１筐体部と前記第２筐体部とを連結する連結部と、
前記第１筐体部に搭載された第１の内部無線通信用アンテナと、
前記第２筐体部に搭載された第２の内部無線通信用アンテナと、
前記第１筐体部に搭載され、前記第１の内部無線通信用アンテナを介して行われる内部無線通信の制御を司る第１の内部無線通信制御部と、
前記第２筐体部に搭載され、前記第２の内部無線通信用アンテナを介して行われる内部無線通信の制御を司る第２の内部無線通信制御部と、
前記第１筐体部または前記第２筐体部に搭載され、前記内部無線通信にて送られる一部の情報を有線にて通信する有線通信部とを有することを特徴とする電子装置。
【請求項２８】
一体の筐体と、
前記筐体に搭載された第１の内部無線通信用アンテナと、
前記筐体に搭載された第２の内部無線通信用アンテナと、
前記筐体に搭載され、前記第１の内部無線通信用アンテナを介して行われる内部無線通信の制御を司る第１の内部無線通信制御部と、
前記筐体に搭載され、前記第２の内部無線通信用アンテナを介して行われる内部無線通信の制御を司る第２の内部無線通信制御部と、
前記筐体に搭載され、前記内部無線通信にて送られる一部の情報を有線にて通信する有線通信部とを有することを特徴とする電子装置。
【請求項２９】
出力信号を第１カテゴリー情報として発生する信号発生部と、
前記信号発生部にて発生された信号を多重化する多重化部と、
前記多重化部にて多重化された信号を無線周波に変調し出力する変調部と、
前記多重化部または前記変調部に同期する第２カテゴリー情報を生成し有線伝送にて前記変調部の出力の受信側へ出力する出力部とを有し、
前記第２カテゴリー情報は、前記第１カテゴリー情報の伝送レートの１／ｂ（ｂは有理数）の周期情報を含み、
前記変調部は、前記信号発生部にて発生された信号を、前記周期情報に基づいて変調することを特徴とする半導体集積回路。
【請求項３０】
無線周波に変調された変調信号を受信し復調する復調部と、
前記復調部にて復調された復調信号から多重化を解き並列の第１カテゴリー情報として配信するデマルチプレクス部と、
前記変調信号の送信側から送信された第２カテゴリー情報を有線伝送にて受信し前記第２カテゴリー情報に基づき前記復調部または前記デマルチプレクス部の動作を制御する制御部とを有し、
前記第２カテゴリー情報は、前記第１カテゴリー情報の伝送レートの１／ｂ（ｂは有理数）の周期情報を含み、
前記復調部は、受信した信号を、前記周期情報に基づいて復調することを特徴とする半導体集積回路。
【請求項３１】
出力信号を第１カテゴリー情報として発生する信号発生部と、
前記信号発生部にて発生された信号を多重化する多重化部と、
前記多重化部にて多重化された信号を無線周波に変調し出力する変調部と、
前記無線変調部にて出力された信号を電磁波として放射するアンテナと、
前記多重化部または前記変調部に同期する第２カテゴリー情報を生成し、前記アンテナから放射された電磁波の受信側へ、有線伝送にて出力する出力部とを有し、
前記第２カテゴリー情報は、前記第１カテゴリー情報の伝送レートの１／ｂ（ｂは有理数）の周期情報を含み、
前記変調部は、前記多重化部の出力信号を、前記周期情報に基づいて変調することを特徴とする半導体集積回路。
【請求項３２】
無線周波に変調された変調信号を受信する受信アンテナと、
前記受信アンテナにて受信された信号を復調する復調部と、
前記復調部にて復調された復調信号から多重化を解き並列の第１カテゴリー情報として配信するデマルチプレクス部と、
前記変調信号の送信側から送信された第２カテゴリー情報を有線伝送にて受信し、前記第２カテゴリー情報に基づき前記復調部または前記デマルチプレクス部の動作を制御する制御部とを有し、
前記第２カテゴリー情報は、前記第１カテゴリー情報の伝送レートの１／ｂ（ｂは有理数）の周期情報を含み、
前記復調部は、前記受信アンテナにて受信された信号を、前記周期情報に基づいて復調することを特徴とする半導体集積回路。
【請求項３３】
前記多重化部は前記周期情報に同期して動作することを特徴とする請求項２９または３１に記載の半導体集積回路。
【請求項３４】
前記デマルチプレクス部は前記周期情報に同期して動作することを特徴とする請求項３０または３２に記載の半導体集積回路。
【請求項３５】
前記第２カテゴリー情報は暗号化のための鍵情報を含むことを特徴とする請求項２９から３４のいずれか１項に記載の半導体集積回路。
【請求項３６】
前記多重化部または前記デマルチプレクス部は拡散コードによる符号多重であり、前記拡散コードは前記第２カテゴリー情報の一部として配信されることを特徴とする請求項２９から３５のいずれか１項に記載の半導体集積回路。
【手続補正２】
【補正対象書類名】明細書
【補正対象項目名】発明の名称
【補正方法】変更
【補正の内容】
【発明の名称】情報伝送方法、電子装置および半導体集積回路
【手続補正３】
【補正対象書類名】明細書
【補正対象項目名】００１１
【補正方法】変更
【補正の内容】
【００１１】
また、液晶表示体５７０８や撮像素子などの高分解能化に伴い、それらの線路の信号周波数が高くなり、ＣＰＵ５７０１との接続が困難になってきている。特に、クラムシェル型構造では、細いヒンジ部分を介して両者が接続される構造となる。このため、表示素子や撮像素子の高分解能化に伴い、図４０の一点鎖線５７１７−５７１７'で実装基板を分けた時の両基板間でやり取りされるデータ量も多くなり、高速転送技術が必要となってきている。この問題を解決するために高速データ伝送の方式として、たとえば、ＬＶＤＳ（Ｌｏｗ  Ｖｏｌｔａｇｅ  Ｄｉｆｆｅｒｅｎｔｉａｌ  Ｓｉｇｎａｌｉｎｇ）を表示体や撮像素子の接続に使うことが提案されている（特許文献１および特許文献２）。特許文献３および特許文献４等では、この方式でも十分な解決が得られないとして、新たな方法が提案されている。
【手続補正４】
【補正対象書類名】明細書
【補正対象項目名】００２０
【補正方法】変更
【補正の内容】
【００２０】
本発明の情報伝送方法は、同一プリント基板上もしくは同一モジュール内もしくは同一パッケージ内もしくは同一筐体内、または、複数の筐体が連結もしくは接触されることにより一体的に使用される機器内における情報伝送方法であって、第１カテゴリー情報を電磁波信号に変換する電磁波変換工程と、前記電磁波変換工程にて変換された電磁波信号を無線にて送信する無線送信工程と、前記第１カテゴリー情報の伝送レートの１／ｂ（ｂは有理数）の周期情報を含む第２カテゴリー情報を生成する第２カテゴリー情報生成工程と、前記第２カテゴリー情報生成工程にて生成された第２カテゴリー情報を有線にて送信する有線送信工程と、前記有線送信工程にて送信された第２カテゴリー情報を有線にて受信する有線受信工程と、前記無線送信工程にて送信された電磁波信号を無線にて受信する無線受信工程と、前記無線受信工程にて受信された電磁波信号を前記第１カテゴリー情報に復元する電磁波復元工程と、前記第２カテゴリー情報生成部にて生成された第２カテゴリー情報に含まれる前記周期情報に基づいて前記電磁波変換工程を動作させる電磁波変換駆動工程と、前記有線受信工程にて受信された第２カテゴリー情報に含まれる前記周期情報に基づいて前記電磁波復元工程を動作させる電磁波復元駆動工程とを有することを特徴とする。
上記構成によれば、高速伝送の困難な信号群の伝送を無線により伝送し、送信データの高速化に伴う様々な問題を回避し、無線伝送に必要な同期情報等の信号を有線で送信することで、無線化に伴うシステムの複雑化の回避ができる。一般的に第１カテゴリー情報の伝送レートは高いため、この伝送レートの情報を有線伝送路で伝送するのは困難であるが、この伝送レートを何分の１かにしたものであれば、有線伝送路でも十分に伝送することができる。
また、無線通信にて送られる情報の一部を有線通信にて受け持つことが可能となり、無線通信にかかる負荷を軽減しつつ、第１カテゴリー情報を無線通信にて送ることが可能となる。このため、セキュリティの劣化や回路規模の増大などの無線通信に伴う問題を緩和しつつ、配線数の増大や部品配置の制約などの有線通信に伴う問題を緩和することができ、電子装置の大画面化および多機能化に対応しつつ、電子装置の小型薄型化に対応することができる。
さらに、簡単な構成で信号伝送の電磁波（電波）による無線化ができる。特に、信号が無線で伝送される送信側と受信側で、有線によって伝送される共通の制御信号を利用するため、送受信端での特性のばらつきやタイミングのばらつきを吸収でき、高精度の部品を使わなくても、品質の良い通信が確保できる。
【手続補正５】
【補正対象書類名】明細書
【補正対象項目名】００２２
【補正方法】変更
【補正の内容】
【００２２】
本発明の電子装置は、同一プリント基板上もしくは同一モジュール内もしくは同一パッケージ内もしくは同一筐体内、または、複数の筐体が連結もしくは接触されることにより一体的に使用される機器内に、第１カテゴリー情報を電磁波信号に変換する電磁波変換部と、前記電磁波変換部にて変換された電磁波信号を無線にて送信する無線送信部と、前記第１カテゴリー情報の伝送レートの１／ｂ（ｂは有理数）の周期情報を含む第２カテゴリー情報を生成する第２カテゴリー情報生成部と、前記第２カテゴリー情報生成部にて生成された第２カテゴリー情報を有線にて送信する有線送信部と、前記有線送信部にて送信された第２カテゴリー情報を有線にて受信する有線受信部と、前記無線送信部にて送信された前記電磁波信号を無線にて受信する無線受信部と、前記無線受信部にて受信された電磁波信号を前記第１カテゴリー情報に復元する電磁波復元部とを有し、前記電磁波変換部は、前記第２カテゴリー情報生成部にて生成された第２カテゴリー情報に含まれる前記周期情報に基づいて駆動し、前記電磁波復元部は、前記有線受信部にて受信された第２カテゴリー情報に含まれる前記周期情報に基づいて駆動することを特徴とする。
上記構成によれば、電子装置内の情報伝送に伴う種々の問題を上記情報伝送により除去できるので、電子装置の実現が容易となる。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
また、本発明にかかる電子装置は、同一プリント基板上もしくは同一モジュール内もしくは同一パッケージ内もしくは同一筐体内、または、複数の筐体が連結もしくは接触されることにより一体的に使用される機器内に、第１カテゴリー情報を生成する第１カテゴリー情報生成部と、暗号鍵を生成する暗号鍵生成部と、前記暗号鍵生成部にて生成された暗号鍵と前記第１カテゴリー情報の伝送レートの１／ｂ（ｂは有理数）の周期情報とを含む第２カテゴリー情報を生成する第２カテゴリー情報生成部と、前記第１カテゴリー情報生成部にて生成された第１カテゴリー情報を、前記暗号鍵生成部にて生成された暗号鍵にて暗号化する暗号部と、前記暗号部にて暗号化された情報を電磁波信号に変換する電磁波変換部と、前記電磁波変換部にて変換された電磁波信号を無線にて送信する無線送信部と、前記第２カテゴリー情報生成部にて生成された第２カテゴリー情報を有線にて送信する有線送信部と、前記有線送信部にて送信された第２カテゴリー情報を有線にて受信する有線受信部と、前記無線送信部にて送信された電磁波信号を無線にて受信する無線受信部と、前記無線受信部にて受信された電磁波信号を前記暗号部にて暗号化された情報に復元する電磁波復元部と、前記電磁波復元部にて復元された情報を、前記有線受信部にて受信された第２カテゴリー情報に含まれる前記暗号鍵にて復号する復号部とを有し、前記電磁波変換部は、前記第２カテゴリー情報生成部にて生成された前記第２カテゴリー情報に含まれる前記周期情報に基づいて駆動し、前記電磁波復元部は、前記有線受信部にて受信された第２カテゴリー情報に含まれる前記周期情報に基づいて駆動することを特徴とする。
【手続補正８】
【補正対象書類名】明細書
【補正対象項目名】００２６
【補正方法】変更
【補正の内容】
【００２６】
本発明にかかる電子装置は、同一プリント基板上もしくは同一モジュール内もしくは同一パッケージ内もしくは同一筐体内、または、複数の筐体が連結もしくは接触されることにより一体的に使用される機器内に、第１カテゴリー情報を生成する第１カテゴリー情報生成部と、乱数を生成する乱数生成部と、前記乱数生成部にて生成された乱数と前記第１カテゴリー情報の伝送レートの１／ｂ（ｂは有理数）の周期情報とを含む第２カテゴリー情報を生成する第２カテゴリー情報生成部と、前記第１カテゴリー情報生成部にて生成された第１カテゴリー情報を、前記乱数生成部にて生成された乱数にて暗号化する暗号部と、前記暗号部にて暗号化された情報を電磁波信号に変換する電磁波変換部と、前記電磁波変換部にて変換された電磁波信号を無線にて送信する無線送信部と、前記第２カテゴリー情報生成部にて生成された第２カテゴリー情報を有線にて送信する有線送信部と、前記有線送信部にて送信された第２カテゴリー情報を有線にて受信する有線受信部と、前記無線送信部にて送信された電磁波信号を無線にて受信する無線受信部と、前記無線受信部にて受信された電磁波信号を前記暗号部にて暗号化された情報に復元する電磁波復元部と、前記電磁波復元部にて復元された情報を、前記有線受信部にて受信された第２カテゴリー情報に含まれる前記乱数にて復号する復号部とを有し、前記電磁波変換部は、前記第２カテゴリー情報生成部にて生成された前記第２カテゴリー情報に含まれる前記周期情報に基づいて駆動し、前記電磁波復元部は、前記有線受信部にて受信された第２カテゴリー情報に含まれる前記周期情報に基づいて駆動することを特徴とする。
【手続補正９】
【補正対象書類名】明細書
【補正対象項目名】００２７
【補正方法】変更
【補正の内容】
【００２７】
上記構成によれば、電子装置内において無線でやり取りされる情報は乱数と加算されているので、漏洩しても第三者が内容を知ることができず、安全性が確保される。乱数は頻繁に変更できしかも有線通信にて受信側に送信されるので、加算される乱数が第三者に盗まれることもない。
本発明にかかる電子装置は、同一プリント基板上もしくは同一モジュール内もしくは同一パッケージ内もしくは同一筐体内、または、複数の筐体が連結もしくは接触されることにより一体的に使用される機器内に、第１カテゴリー情報を生成する第１カテゴリー情報生成部と、拡散符号を生成する拡散符号生成部と、前記拡散符号生成部にて生成された拡散符号と前記第１カテゴリー情報の伝送レートの１／ｂ（ｂは有理数）の周期情報とを含む第２カテゴリー情報を生成する第２カテゴリー情報生成部と、前記第１カテゴリー情報生成部にて生成された第１カテゴリー情報を、前記拡散符号生成部にて生成された拡散符号にて変調する変調部と、前記変調部にて変調された情報を電磁波信号に変換する電磁波変換部と、前記電磁波変換部にて変換された電磁波信号を無線にて送信する無線送信部と、前記第２カテゴリー情報生成部にて生成された第２カテゴリー情報を有線にて送信する有線送信部と、前記有線送信部にて送信された第２カテゴリー情報を有線にて受信する有線受信部と、前記無線送信部にて送信された電磁波信号を無線にて受信する無線受信部と、前記無線受信部にて受信された電磁波信号を前記変調部にて変調された情報に復元する電磁波復元部と、前記電磁波復元部にて復元された情報を、前記有線受信部にて受信された第２カテゴリー情報に含まれる前記拡散符号にて逆拡散する復調部とを有し、前記電磁波変換部は、前記第２カテゴリー情報生成部にて生成された前記第２カテゴリー情報に含まれる前記周期情報に基づいて駆動し、前記電磁波復元部は、前記有線受信部にて受信された第２カテゴリー情報に含まれる前記周期情報に基づいて駆動することを特徴とする。
【手続補正１０】
【補正対象書類名】明細書
【補正対象項目名】００２９
【補正方法】変更
【補正の内容】
【００２９】
本発明にかかる電子装置の前記有線送信部と前記有線受信部とは同一の電源より電源供給を受けるとともに、前記有線送信部および前記有線受信部は電源線に信号を重畳し通信することを特徴とする。
上記構成によれば、有線通信部は電源線に重畳された信号により通信を行うので、そのための特別な配線の必要がなく、きわめて少ない配線数で大量のデータを簡単に伝送することが可能となる。
【手続補正１１】
【補正対象書類名】明細書
【補正対象項目名】００３０
【補正方法】削除
【補正の内容】
【手続補正１２】
【補正対象書類名】明細書
【補正対象項目名】００３２
【補正方法】変更
【補正の内容】
【００３２】
本発明の電子装置の前記電磁波変換部はスペクトル拡散変調を行い、前記電磁波復元部はスペクトル逆拡散を行い、前記電磁波変換部および前記電磁波復元部の符号同期情報は有線通信で伝送されることを特徴とする。
上記構成によれば、スペクトル拡散変調により複数の信号をシリアル化せずに多重化して送ることができ、リアルタイム特性がよい。また、拡散利得を稼ぐこともできるので、送信される電磁波信号がシステムへ与える干渉、あるいはシステムから受ける干渉の少ないロバストなシステムを構築できる。さらに、送受信端で同期情報が有線通信で伝送されるため、受信端では受信電磁波信号から同期捕捉のための同期回路が不要となり、逆拡散回路も簡素なものが使用でき、回路の簡素化が容易である。
【手続補正１３】
【補正対象書類名】明細書
【補正対象項目名】００３３
【補正方法】変更
【補正の内容】
【００３３】
本発明の電子装置の前記電磁波変換部はＵＷＢ信号への変調を行い、前記電磁波復元部はＵＷＢ信号からの復調を行い、前記電磁波変換部および前記電磁波復元部の復調同期情報は有線通信で伝送されることを特徴とする。
上記構成によれば、電波によって通信を行う携帯電話のような電磁波発生が基本的機能である電子装置の強電磁界環境化においても、ＵＷＢ特有の広帯域性、低スペクトル密度特性によって高速で信頼性の高いデータ伝送が可能となる。ＵＷＢ通信であれば、法律によって許容される最大放射電磁界の規定が緩和され、より受信側の設計が容易となる。さらに、ＵＷＢの変調器および復調器は、有線通信によって伝送される同一の同期情報を使用するので、受信側において同期抽出する回路が不要であり、回路の簡素化が図れる。
【手続補正１４】
【補正対象書類名】明細書
【補正対象項目名】００３４
【補正方法】変更
【補正の内容】
【００３４】
本発明の電子装置は、基準信号を発生する制御部と、前記基準信号に同期して前記第１カテゴリー情報を電磁波信号に変調する変調部と、前記変調部にて変調された電磁波信号を送信する無線送信部と、前記無線送信部にて送信された電磁波信号を受信する無線受信部と、前記無線受信部にて受信された電磁波信号を前記第１カテゴリー情報に復調する復調部と、第２カテゴリー情報を電源線に重畳し伝送する有線送信部と、前記電源線に重畳された信号を分離する有線受信部とを有し、前記第１カテゴリー情報および第２カテゴリー情報は前記無線送信部および有線送信部により一通信リンク内に送信され、前記無線送信部と無線受信部は共通の前記電源線より電源が供給され、前記第２カテゴリー情報は、前記第１カテゴリー情報の伝送レートの１／ｂ（ｂは有理数）の周期情報を有する前記基準信号を含み、
前記変調部と前記復調部は、前記周期情報に同期して動作することを特徴とする。
【手続補正１５】
【補正対象書類名】明細書
【補正対象項目名】００３５
【補正方法】変更
【補正の内容】
【００３５】
上記構成によれば、高速伝送の困難な信号群の伝送を無線により伝送し、送信データの高速化に伴う様々な問題を回避し、無線伝送に必要な同期情報等の信号を電源線に重畳し有線で伝送することで、無線化に伴うシステムの複雑化の回避し、しかも有線路も電源線と共用するので、配線に伴う困難も軽減することができる。また、無線送信部と無線受信部は同一の基準信号に同期して動作することができるので、受信側で同期のための回路が不要となり、第１カテゴリー情報を送受信するためのハードウエアの構成を著しく簡素化できる。
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】変更
【補正の内容】
【００３８】
本発明の電子装置の前記無線送信部は、基準信号を発振する制御部と、前記基準信号に同期して、前記第１カテゴリー情報を変調し電磁波信号に変換する変調部とを有し、前記有線送信部および有線受信部にて送受信される第２カテゴリー情報は前記基準信号を含み、前記無線受信部は、前記有線受信部にて受信された前記基準信号に同期して、前記無線受信部にて受信された電磁波信号を前記第１カテゴリー情報に復調する復調部を有することを特徴とする。
【手続補正１８】
【補正対象書類名】明細書
【補正対象項目名】００４０
【補正方法】変更
【補正の内容】
【００４０】
本発明の電子装置の前記無線送信部は、基準信号を発振する制御部と、前記基準信号に同期して、第１カテゴリー情報を変調し電磁波信号に変換する変調部とを有し、前記有線送信部および有線受信部にて送受信される第２カテゴリー情報は前記基準信号を含み、前記無線受信部は、前記有線受信部にて受信された前記基準信号に同期した制御信号を生成する制御信号生成部と、前記制御信号生成部にて生成された制御信号に同期して、前記無線受信部にて受信された電磁波信号を前記第１カテゴリー情報に復調する復調部とを有することを特徴とする。
【手続補正１９】
【補正対象書類名】明細書
【補正対象項目名】００４２
【補正方法】変更
【補正の内容】
【００４２】
本発明の電子装置の前記無線送信部は、ＵＷＢ変調にて前記第１カテゴリー情報を変調し、前記第１カテゴリー情報を変復調するのに用いるパルス起動タイミング情報は前記第２カテゴリー情報として有線伝送される前記基準信号より生成し、前記無線送信部にて送信される送信パケットは、前記第２カテゴリー情報として有線伝送される前記基準信号に同期が取られることを特徴とする。
上記構成によれば、第１カテゴリー情報を送受信する無線送信部および無線受信部を簡単な回路構成で実現でき、信号伝送の電磁波（電波）による無線化ができる。特に、信号が無線で伝送される送信側と受信側では、電源線に重畳され伝送される共通の制御信号を利用するため、送受信端での特性のばらつきやタイミングのばらつきを吸収でき、高精度の部品を使わなくても品質の良い通信が確保できる。
【手続補正２０】
【補正対象書類名】明細書
【補正対象項目名】００４３
【補正方法】変更
【補正の内容】
【００４３】
本発明の電子装置の前記無線送信部は、スペクトル拡散変調により前記第１カテゴリー情報を変調し、無線受信部は、前記第１カテゴリー情報をスペクトル逆拡散し復調し、変復調の拡散コードの同期情報または搬送波情報を第２カテゴリー情報として有線伝送される基準信号より生成し符号同期を取ることを特徴とする。
【手続補正２１】
【補正対象書類名】明細書
【補正対象項目名】００４５
【補正方法】変更
【補正の内容】
【００４５】
本発明の電子装置の前記無線送信部は、ＵＷＢ変調により第１カテゴリー情報を変調し、復調のためのパルステンプレートの同期情報は前記第２カテゴリー情報として有線伝送される基準信号より生成し復調同期が取られることを特徴とする。
上記構成によれば、電波によって通信を行う携帯電話のような電磁波発生が基本的機能である電子装置の強電磁界環境化においても、高速の信頼性の高いデータ伝送が可能となる。ＵＷＢ通信であれば、法律によって許容される最大放射電磁界の規定が緩和され、より受信側の設計が容易となる。さらに、ＵＷＢの変調器および復調器は有線によって伝送される同一の同期情報を使用するので、受信側において同期抽出する回路が不要であり、回路の簡素化が図れる。しかも、第２カテゴリー情報は電源線に重畳されているので、配線数も最小にできる。
【手続補正２２】
【補正対象書類名】明細書
【補正対象項目名】００５１
【補正方法】変更
【補正の内容】
【００５１】
本発明の電子装置は、集積回路上の電子回路と集積回路外部とで伝送される情報を第１カテゴリー情報として無線伝送することを特徴とする。
上記構成によれば、半導体集積回路のパッケージの入出力ピンの一部を無線化することができるので、その数を減らし、パッケージのサイズおよびコストを低減できる。
本発明による電子装置は、表示部と、スピーカ部と、前記表示部に表示する画像データおよび前記スピーカ部を駆動する音響データを生成するデータソース部とを有し、前記表示部またはスピーカ部には第１カテゴリー情報を受信する無線受信部と、第２カテゴリー情報を送受信する第１有線送受信部とを有し、前記データソース部は前記第１カテゴリー情報を送信する無線送信部と、前記第２カテゴリー情報を送受信する第２有線送受信部とを有し、前記表示部またはスピーカ部とデータソース部の間で伝送される前記画像データおよび音響データを前記第１カテゴリー情報として無線伝送するし、前記第２カテゴリー情報は、前記第１カテゴリー情報の伝送レートの１／ｂ（ｂは有理数）の周期情報を含み、前記無線送信部および前記無線受信部は前記周期情報に同期して動作することを特徴とする。
【手続補正２３】
【補正対象書類名】明細書
【補正対象項目名】００５２
【補正方法】変更
【補正の内容】
【００５２】
上記構成によれば、映像データおよび音響データを扱うマルチメディア機器のスピーカやディスプレイと、チューナレコーダ部との接続を簡易なハードウエアで無線接続でき、その相互接続を容易にできる。
本発明にかかる電子装置は、暗号鍵を発生する鍵発生部と、前記第１カテゴリー情報を前記暗号鍵にて暗号化する暗号部を含む前記無線送信部と、受信信号を前記暗号鍵にて復号化する復号部を含む前記無線受信部とを有し、前記暗号鍵は前記第２カテゴリー情報として前記第１および第２有線送受信部を介して配信されることを特徴とする。
上記構成によれば、電子装置内において無線でやり取りされる情報は暗号で送られるため、それが第三者に漏洩しても、暗号鍵が無い限り解読できず、安全性を向上させることができる。暗号鍵は頻繁に更新することが可能で、しかも有線通信にて相手側に伝送されるため、暗号鍵が第三者に渡ることも無い。すなわち暗号を用いる場合に問題となる鍵配布時の問題（ＫＤＰ：Ｋｅｙ  Ｄｉｓｔｒｉｂｕｔｉｏｎ  Ｐｒｏｂｌｅｍ）がない。
本発明にかかる電子装置は、乱数を発生する乱数発生部と、前記第１カテゴリー情報を前記乱数にて暗号化する暗号部を含む前記無線送信部と、受信信号を前記乱数にて復号化する復号部を含む前期無線受信部とを有し、前記乱数は前記第２カテゴリー情報として前記第１および第２有線送受信部を介して配信されることを特徴とする。
上記構成によれば、電子装置内において無線でやり取りされる情報は乱数と加算されているので、漏洩しても第三者が内容を知ることができず、安全性が確保される。乱数は頻繁に変更できしかも有線通信にて受信側に送信されるので、加算される乱数が第三者に盗まれることもない。
本発明にかかる電子装置は、拡散符号を発生する拡散符号発生部を有し、前記無線送信部は、前記拡散符号発生部にて発生された符号によって前記画像データおよび前記音響データを符号多重化し前記第１カテゴリー情報として発信し、前記無線送信部と前記無線受信部は、前記第２カテゴリー情報に同期して前記拡散符号にて変復調することを特徴とする。
上記構成によれば、電子装置内において無線でやり取りされる情報は拡散符号により拡散変調されているので、信号が漏洩しても、第三者は拡散符号が無い限り復調する事ができず内容を知ることができないので安全性が確保される。拡散符号は頻繁に変更でき、しかも有線通信にて受信側に送信されるので、拡散符号が第三者に盗まれることもない。また、拡散利得を稼ぐことにより、この無線通信路が当該電子装置に影響を与えたり、逆に電子装置が発する電磁波信号や電磁波ノイズの影響を受けることが無い。さらに、一般的に搬送波周波数は周波数が高いため有線伝送路で伝送するのは困難であるが、搬送波周波数を分周したものを有線伝送するので有線伝送路でも十分に伝送することができる。
本発明にかかる電子装置は、前記第１または／および第２有線送受信部は電源線に前記第２カテゴリー情報を重畳して送信する重畳部を含みまた前記第１または／および第２有線送受信部は電源線から前記第２カテゴリー情報を分離する分離部を含むことを特徴とする。
上記構成によれば、有線送受信部は電源線に重畳された信号により通信を行うので、そのための特別な配線の必要がなく、きわめて少ない配線数で大量のデータを簡単に伝送することが可能となる。
本発明にかかる電子装置は、第１筐体部と、第２筐体部と、前記第１筐体部と前記第２筐体部との位置関係を変えられるように前記第１筐体部と前記第２筐体部とを連結する連結部と、前記第１筐体部に搭載された第１の内部無線通信用アンテナと、前記第２筐体部に搭載された第２の内部無線通信用アンテナと、前記第１筐体部に搭載され、前記第１の内部無線通信用アンテナを介して行われる内部無線通信の制御を司る第１の内部無線通信制御部と、前記第２筐体部に搭載され、前記第２の内部無線通信用アンテナを介して行われる内部無線通信の制御を司る第２の内部無線通信制御部と、前記第１筐体部または前記第２筐体部に搭載され、前記内部無線通信にて送られる一部の情報を有線にて通信する有線通信部とを有することを特徴とする。
上記構成によれば、無線通信を有線通信にて補助しながら、電子装置の筐体間のデータ伝送を無線で行うことが可能となる。このため、電子装置に搭載される表示部の高解像度化に対応して、筐体間でやり取りされるデータ量が増大した場合においても、筐体間の配線数の増大を抑制しつつ、筐体間でデータ通信を滞りなく行うことが可能となる。この結果、電子装置にクラムシェル構造が採用された場合においても、連結部の構造の複雑化を抑制することが可能となるとともに、実装工程の煩雑化を防止することが可能となり、コストアップを抑制しつつ、電子装置の小型薄型化および高信頼性化を図ることが可能となるとともに、電子装置の携帯性を損なうことなく、電子装置の大画面化および多機能化を図ることができる。
本発明にかかる電子装置は、一体の筐体と、前記筐体に搭載された第１の内部無線通信用アンテナと、前記筐体に搭載された第２の内部無線通信用アンテナと、前記筐体に搭載され、前記第１の内部無線通信用アンテナを介して行われる内部無線通信の制御を司る第１の内部無線通信制御部と、前記筐体に搭載され、前記第２の内部無線通信用アンテナを介して行われる内部無線通信の制御を司る第２の内部無線通信制御部と、前記筐体に搭載され、前記内部無線通信にて送られる一部の情報を有線にて通信する有線通信部とを有することを特徴とする電子装置。
上記構成によれば、無線通信を有線通信にて補助しながら、電子装置の筐体内のデータ伝送を無線で行うことが可能となる。このため、電子装置の筐体内でやり取りされるデータ量が増大した場合においても、筐体内の配線数の増大を抑制しつつ、筐体内でデータ通信を滞りなく行うことが可能となる。この結果、電子装置の構造の複雑化を抑制することが可能となるとともに、実装工程の煩雑化を防止することが可能となり、コストアップを抑制しつつ、電子装置の小型薄型化および高信頼性化を図ることが可能となるとともに、電子装置の携帯性を損なうことなく、電子装置の高性能化および多機能化を図ることができる。
本発明にかかる半導体集積回路は、出力信号を第１カテゴリー情報として発生する信号発生部と、前記信号発生部にて発生された信号を多重化する多重化部と、前記多重化部にて多重化された信号を無線周波に変調し出力する変調部と、前記多重化部または前記変調部に同期する第２カテゴリー情報を生成し有線伝送にて前記変調部の出力の受信側へ出力する出力部とを有し、前記第２カテゴリー情報は、前記第１カテゴリー情報の伝送レートの１／ｂ（ｂは有理数）の周期情報を含み、前記変調部は、前記信号発生部にて発生された信号を、前記周期情報に基づいて変調することを特徴とする。
上記構成によれば、半導体集積回路のパッケージの出力ピンの一部を無線化することができるので、その数を減らし、パッケージのサイズおよびコストを低減できるとともに、信号を多重化して送ることができ、リアルタイム特性がよい。また、ワイヤボンディングを介して浮遊容量とともに出力駆動する従来の方法では困難な高速のデータを低電力で出力することができる。一般的に第１カテゴリー情報の伝送レートは高いため、この伝送レートの情報を有線伝送路で伝送するのは困難であるが、この伝送レートを何分の１かにしたものであれば、有線伝送路でも十分に伝送することができる。
本発明にかかる半導体集積回路は、無線周波に変調された変調信号を受信し復調する復調部と、前記復調部にて復調された復調信号から多重化を解き並列の第１カテゴリー情報として配信するデマルチプレクス部と、前記変調信号の送信側から送信された第２カテゴリー情報を有線伝送にて受信し前記第２カテゴリー情報に基づき前記復調部または前記デマルチプレクス部の動作を制御する制御部とを有し、前記第２カテゴリー情報は、前記第１カテゴリー情報の伝送レートの１／ｂ（ｂは有理数）の周期情報を含み、前記復調部は、受信した信号を、前記周期情報に基づいて復調することを特徴とする。
上記構成によれば、半導体集積回路のパッケージの入力ピンの一部を無線化することができるので、その数を減らし、パッケージのサイズおよびコストを低減できるとともに、信号を多重化して送ることができ、リアルタイム特性がよい。また、ワイヤボンディングを介して浮遊容量とともに出力駆動する従来の方法では困難な高速のデータを低電力で出力することができる。
本発明にかかる半導体集積回路は、出力信号を第１カテゴリー情報として発生する信号発生部と、前記信号発生部にて発生された信号を多重化する多重化部と、前記多重化部にて多重化された信号を無線周波に変調する変調部と、前記無線変調部にて出力された信号を電磁波として放射するアンテナと、前記多重化部または前記変調部に同期する第２カテゴリー情報を生成し、前記アンテナから放射された電磁波の受信側へ、有線伝送にて出力する出力部とを有し、前記第２カテゴリー情報は、前記第１カテゴリー情報の伝送レートの１／ｂ（ｂは有理数）の周期情報を含み、前記変調部は、前記多重化部の出力信号を、前記周期情報に基づいて変調することを特徴とする。
上記構成によれば、半導体集積回路のパッケージの入力ピンの一部を無線化することができるので、その数を減らし、パッケージのサイズおよびコストを低減できるとともに、信号を多重化して送ることができ、リアルタイム特性がよい。また、ワイヤボンディングを介して浮遊容量とともに出力駆動する従来の方法では困難な高速のデータを低電力で出力することができる。
本発明にかかる半導体集積回路は、無線周波に変調された変調信号を受信する受信アンテナと、前記受信アンテナにて受信された信号を復調する復調部と、前記復調部にて復調された復調信号から多重化を解き並列の第１カテゴリー情報として配信するデマルチプレクス部と、前記変調信号の送信側から送信された第２カテゴリー情報を有線伝送にて受信し、前記第２カテゴリー情報に基づき前記復調部または前記デマルチプレクス部の動作を制御する制御部とを有し、前記第２カテゴリー情報は、前記第１カテゴリー情報の伝送レートの１／ｂ（ｂは有理数）の周期情報を含み、前記復調部は、前記受信アンテナにて受信された信号を、前記周期情報に基づいて復調することを特徴とする。
上記構成によれば、半導体集積回路のパッケージの入力ピンの一部を無線化することができるので、その数を減らし、パッケージのサイズおよびコストを低減できるとともに、信号を多重化して送ることができ、リアルタイム特性がよい。また、ワイヤボンディングを介して浮遊容量とともに出力駆動する従来の方法では困難な高速のデータを低電力で出力することができる。
本発明にかかる半導体集積回路の前記多重化部は前記周期情報に同期して動作することを特徴とする。
本発明にかかる半導体集積回路の前記デマルチプレクス部は前記周期情報に同期して動作することを特徴とする。
本発明にかかる半導体集積回路の前記第２カテゴリー情報は暗号化のための鍵情報を含むことを特徴とする。
上記構成によれば、半導体集積回路内部と外部、または半導体集積回路間において無線でやり取りされる情報は暗号で送られるため、それが第三者に漏洩しても、暗号鍵が無い限り解読できず、安全性を向上させることができる。暗号鍵は頻繁に更新することが可能で、しかも有線通信にて伝送されるため、暗号鍵が第三者に渡ることも無い。すなわち暗号を用いる場合に問題となる鍵配布時の問題（ＫＤＰ：Ｋｅｙ  Ｄｉｓｔｒｉｂｕｔｉｏｎ  Ｐｒｏｂｌｅｍ）がない。
本発明にかかる半導体集積回路の前記多重化部または前記デマルチプレクス部は拡散コードによる符号多重であり、前記拡散コードは前記第２カテゴリー情報の一部として配信されることを特徴とする。
上記構成によれば、電子装置内において無線でやり取りされる情報は拡散符号により拡散変調されているので、信号が漏洩しても、第三者は拡散符号が無い限り復調する事ができず内容を知ることができないので安全性が確保される。また、拡散利得を稼ぐことにより、この無線通信路が当該半導体集積回路に影響を与えたり、逆に半導体集積回路が発する電磁波信号や電磁波ノイズの影響を受けることが無い。
【手続補正２４】
【補正対象書類名】明細書
【補正対象項目名】００５３
【補正方法】削除
【補正の内容】
【手続補正２５】
【補正対象書類名】図面
【補正対象項目名】図２３
【補正方法】変更
【補正の内容】
【図２３】
2007028590.tif 000001